(57)【要約】      （修正有）【課題】より短い走査時間でカラーシリアル駆動を実現し発光効率が高く素子電力消費が低減される画素駆動回路とその駆動方法及び適用を提供する。【解決手段】異なるタイミングにおいて、画素駆動回路は、それぞれ、三つの薄膜トランジスタ２２，３２、３４、を蓄積容量４０と液晶容量４２とのスイッチとし、まず、蓄積容量に対して、十分の電量を充電し、また、液晶容量に対して放電し、最後に、蓄積容量４０と液晶容量との電荷をリセットすることにより、液晶容量に対して、充電する目的を達成する。これにより、本発明の回路設計により、また、適当なタイミング制御に合わせて、カラーシリアル駆動法を利用する表示装置においても、順に列を走査することを停止してバックライトの光源を切り替えることがないため、画素を充電する時間と、発光する時間が、短縮されず、また、表示装置が、より高い周波数でも操作でき、より良い画面品質が得られる。【選択図】図３
2007272243.tif 000002
【特許請求の範囲】
【請求項１】
液晶表示パネルの一つの画素に適用される画素駆動回路であって、
データ駆動線と走査駆動線及びストレージユニットが接続され、該ストレージユニットに対して充電する第１のスイッチユニットと、
該ストレージユニットと電荷移動線及び画素駆動ユニットが接続され、該ストレージユニット内に保存された電荷で、該画素駆動ユニットに対して充電する第２のスイッチユニットと、
対向電極電圧線（Ｖｃｏｍ）と該電荷移動線及び該画素駆動ユニットが接続され、該対向電極電圧線をオンすることにより、該画素駆動ユニットに対して、放電する第３のスイッチユニットと、
該画素駆動ユニットの電圧値に基づいて、駆動され、対応する画素の作動を決めるユニット電極と、が含有されることを特徴とする、
画素駆動回路。
【請求項２】
該データ駆動線は、該第１のスイッチユニットに対して、データ信号を送信し、また、該データ信号に基づいて、該第１のスイッチユニットに接続される該ストレージユニットに対して、充電することを特徴とする、請求項１に記載の画素駆動回路。
【請求項３】
該走査駆動線は、該第１のスイッチユニットに走査信号を送信して、該第１のスイッチユニットのオン／オフを制御することを特徴とする、請求項１に記載の画素駆動回路。
【請求項４】
該電荷移動線は、該第２のスイッチユニットに対して、電圧入力信号を送信して、該電圧入力信号に基づいて、該第２のスイッチユニットに接続される該画素駆動ユニットに対して、充電することを特徴とする、請求項１に記載の画素駆動回路。
【請求項５】
該対向電極電圧線は、該第３のスイッチユニットに対して、電圧出力信号を送信し、該電圧出力信号に基づいて、該第３のスイッチユニットに接続される該画素駆動ユニットに対して、放電することを特徴とする、請求項１に記載の画素駆動回路。
【請求項６】
該第１のスイッチユニットは、トランジスタや薄膜トランジスタであることを特徴とする、請求項１に記載の画素駆動回路。
【請求項７】
該第２のスイッチユニットは、トランジスタや薄膜トランジスタであることを特徴とする、請求項１に記載の画素駆動回路。
【請求項８】
該第３のスイッチユニットは、トランジスタや薄膜トランジスタであることを特徴とする、請求項１に記載の画素駆動回路。
【請求項９】
該ストレージユニットは、蓄積容量であることを特徴とする、請求項１に記載の画素駆動回路。
【請求項１０】
該画素駆動ユニットは、液晶容量であることを特徴とする、請求項１に記載の画素駆動回路。
【請求項１１】
該ユニット電極は、透明導電電極であることを特徴とする、請求項１に記載の画素駆動回路。
【請求項１２】
該液晶表示パネルは、バックライトモジュールにより、光源を供給することを特徴とする、請求項１に記載の画素駆動回路。
【請求項１３】
該バックライトモジュールにより供給された光源が、該液晶表示パネルに入るかは、該画素駆動ユニットの電圧値が、予めに設定された充電電圧値に到達することによって決められることを特徴とする、請求項１２に記載の画素駆動回路。
【請求項１４】
液晶表示パネルの画素を駆動し、データ駆動線と走査駆動線及びストレージユニットが接続される第１のスイッチユニットと、該ストレージユニットと電荷移動線及び画素駆動ユニットが接続される第２のスイッチユニットと、対向電極電圧線と該電荷移動線及び該画素駆動ユニットが接続される第３のスイッチユニットと、が含有される画素駆動回路において、該データ駆動線が、データ信号を送信し、該走査駆動線が、走査信号を送信し、該電荷移動線が、電圧入力信号を送信し、該対向電極電圧線が、電圧出力信号を送信する駆動方法であって、
該走査駆動線をイネーブルするステップと、
該データ駆動線に対して、該データ信号を入力し、該ストレージユニットを駆動して充電するステップと、
該走査駆動線を無効にするステップと、
該対向電極電圧線をイネーブルするステップと、
該電圧出力信号を入力して、該画素駆動ユニットを放電させる、
該対向電極電圧線を無効にするステップと、
該電荷移動線をイネーブルするステップと、
該電圧入力信号を入力して、該画素駆動ユニットを充電させる、
該電荷移動線を無効にするステップと、が含有されることを特徴とする、
画素駆動回路の駆動方法。
【請求項１５】
該電圧出力信号を入力して、該画素駆動ユニットを、該画素駆動ユニットの電圧値が、予めに設定された放電電圧値に近付くまでに、放電させることを特徴とする、請求項１４に記載の画素駆動回路の駆動方法。
【請求項１６】
該電圧入力信号を入力して、該画素駆動ユニットを、該ストレージユニット内の電荷移転により、充電させることを特徴とする、請求項１４に記載の画素駆動回路の駆動方法。
【請求項１７】
該電圧入力信号を入力して、該画素駆動ユニットを、該画素駆動ユニットの電圧値が、予め設定された充電電圧値に近付くまでに、充電させることを特徴とする、請求項１４に記載の画素駆動回路の駆動方法。
【請求項１８】
該液晶表示パネルは、バックライトモジュールからの光源を受光することを特徴とする、請求項１４に記載の画素駆動回路の駆動方法。
【請求項１９】
該対向電極電圧線をイネーブルしてから、該電荷移動線を無効にするまでに、該バックライトモジュールの光源は、該液晶表示パネル内に入らないことを特徴とする、請求項１８に記載の画素駆動回路の駆動方法。
【請求項２０】
該電荷移動線を無効にしてから、該バックライトモジュールの光源は、該液晶表示パネル内に入ることを特徴とする、請求項１８に記載の画素駆動回路の駆動方法。
【請求項２１】
光源を利用して、光線を供給するバックライトモジュールと、
該バックライトモジュールが供給した該光源を受光し、複数のデータ駆動線と走査駆動線及びストレージユニットが接続され、該ストレージユニットに対して充電する第１のスイッチユニットと、該ストレージユニットと電荷移動線及び画素駆動ユニットが接続され、該ストレージユニット内に保存された電荷を利用して、該画素駆動ユニットに対して、充電する第２のスイッチユニットと、対向電極電圧線と該電荷移動線及び該画素駆動ユニットが接続され、該対向電極電圧線をオンすることにより、該画素駆動ユニットに対して放電する第３のスイッチユニットと、該画素駆動ユニットの電圧値に基づいて、駆動され、対応する該画素の作動を決めるユニット電極と、が含有される複数の画素駆動回路と複数の電源管理回路及びカラー駆動回路が含有される液晶駆動ユニットと、複数の光学素子と液晶ユニットを有し、該液晶ユニットが、該液晶駆動ユニットによって駆動されて回転し、また、該バックライトモジュールからの該光源で、それらの光学素子を介することにより、画像を表示する液晶表示ユニットと、
を有する液晶表示パネルを有することを特徴とする、
液晶表示装置。
【請求項２２】
該データ駆動線は、該第１のスイッチユニットに対して、データ信号を送信し、該データ信号に基づいて、該第１のスイッチユニットに接続される該ストレージユニットに対して充電することを特徴とする、請求項２１に記載の液晶表示装置。
【請求項２３】
該走査駆動線は、該第１のスイッチユニットに対して走査信号を送信して、該第１のスイッチユニットのオン／オフを制御することを特徴とする、請求項２１に記載の液晶表示装置。
【請求項２４】
該電荷移動線は、該第２のスイッチユニットに対して電圧入力信号を送信し、該電圧入力信号に基づいて、該第２のスイッチユニットに接続される該画素駆動ユニットに対して、充電することを特徴とする、請求項２１に記載の液晶表示装置。
【請求項２５】
該対向電極電圧線は、該第３のスイッチユニットに電圧出力信号を送信し、該電圧出力信号に基づいて、該第３のスイッチユニットに接続される該画素駆動ユニットに対して放電することを特徴とする、請求項２１に記載の液晶表示装置。
【請求項２６】
該第１のスイッチユニットは、トランジスタや薄膜トランジスタであることを特徴とする、請求項２１に記載の液晶表示装置。
【請求項２７】
該第２のスイッチユニットは、トランジスタや薄膜トランジスタであることを特徴とする、請求項２１に記載の液晶表示装置。
【請求項２８】
該第３のスイッチユニットは、トランジスタや薄膜トランジスタであることを特徴とする、請求項２１に記載の液晶表示装置。
【請求項２９】
該ストレージユニットは、蓄積容量であることを特徴とする、請求項２１に記載の液晶表示装置。
【請求項３０】
該画素駆動ユニットは、液晶容量であることを特徴とする、請求項２１に記載の液晶表示装置。
【請求項３１】
該ユニット電極は、透明導電電極であることを特徴とする、請求項２１に記載の液晶表示装置。
【請求項３２】
該バックライトモジュールにより供給された光源が、該液晶表示パネルに入るかは、該画素駆動ユニットの電圧値が、予めに設定された充電電圧値に到達することによって決められることを特徴とする、請求項２１に記載の液晶表示装置。
【発明の詳細な説明】
【技術分野】
【０００１】
本発明は、駆動回路とその駆動方法と適用に関し、特に、画素駆動回路とその駆動方法と適用に関する。
【背景技術】
【０００２】
既存の液晶表示装置技術において、薄膜トランジスタ（Ｔｈｉｎ  Ｆｉｌｍ  Ｔｒａｎｓｉｓｔｏｒ、ＴＦＴ）パネルの発展が優れている。それは、薄膜トランジスタパネルに、高解像度や低エネルギー消費及び軽薄化等の利点が得られるためで、薄膜トランジスタパネルを利用する表示装置は、近年来、表示装置の市場において、重要視されている。
【０００３】
薄膜トランジスタパネルの設計は、図１を参照しながら、このような薄膜トランジスタパネルは、表示領域において、数百満の画素１０が、アレイ状に配列されることにより構成される。
各画素１０を駆動する回路設計は、図２の画素駆動回路概念図のように、主として、単一の薄膜トランジスタ１２を、蓄積容量と液晶容量のスイッチとして、適当なタイミング制御により、アレイ状の画素１０は、順に列を走査することにより、順に走査駆動線の薄膜トランジスタ１２を駆動し、薄膜トランジスタ１２のオン／オフにより、対応する画素電極１４のオン／オフを決める。
【０００４】
また、更に、カラーの飽和度や均一性及び解像度を向上するため、カラーシリアル駆動法により薄膜トランジスタパネルを駆動するように、制御してもよいが、上記の従来の画素駆動回路と方法は、容量の充放電が、所定の時間を消耗することに制限されるため、走査時間を有効に短縮できない。
そのため、従来の薄膜トランジスタパネルは、カラーシリアル駆動法により、画像の表示を駆動する時、長過ぎる走査時間により順に列を走査することを停止するように、バックライト光源を切換え、そのため、結像品質が悪くなる問題がある。
【０００５】
本発明は、上記の欠点を解消するため、本発明の画素駆動回路設計により、適当なタイミング駆動モードに合わせて、走査時間を短縮する目的を実現できる画素駆動回路とその駆動方法及び適用を提供する。
【発明の開示】
【発明が解決しようとする課題】
【０００６】
本発明の主な目的は、複数の薄膜トランジスタを液晶表示装置内の電容を制御するスイッチとし、また、タイミング回路を駆動するモードに合わせて、薄膜トランジスタ液晶表示装置が、より短い走査時間により、カラーシリアル駆動を実現できる画素駆動回路とその駆動方法及び適用を提供する。
【０００７】
本発明の他の目的は、薄膜トランジスタ液晶表示装置が、より短い走査時間で発光効率が比較的に高くなり、また、素子電力消費が低減される等の効果が得られる画素駆動回路とその駆動方法及び適用を提供する。
【課題を解決するための手段】
【０００８】
本発明は、上記の目的を達成するため、本発明に係わる画素駆動回路において、主として、三つのスイッチユニットを、画素駆動ストレージユニットと画素駆動ユニットを駆動するスイッチとする。
第１のスイッチユニットと第２のスイッチユニット及び第３のスイッチユニットは、それぞれ、第１薄膜トランジスタと第２薄膜トランジスタ及び第３薄膜トランジスタである。
ストレージユニットと画素駆動ユニットは、それぞれ、蓄積容量と液晶容量である。
また、第１薄膜トランジスタは、一端に、データ駆動線が接続され、もう一端に、蓄積容量が接続され、そして、そのゲート電極に、走査駆動線が接続される。
また、第２薄膜トランジスタは、一端に、蓄積容量が接続され、もう一端に、液晶容量が接続され、そして、そのゲート電極に、電荷移動線が接続される。
また、第３薄膜トランジスタは、一端に、液晶容量が接続され、もう一端に、電荷移動線が接続され、そして、そのゲート電極に、対向電極電圧線が接続される画素駆動回路とその駆動方法である。
【０００９】
上記の本発明による画素駆動回路に基づく構成により、本発明は、更に、画素駆動方法を提供し、まず、走査信号に基づいて、第１薄膜トランジスタをオンするステップと、オンされた第１薄膜トランジスタを介して送信されたデータ信号により、蓄積容量を駆動して充電させるステップと、第３薄膜トランジスタをオンして電圧出力信号を送信することにより、液晶容量内の電圧値が、予めに設定された放電電圧値に到達するまでに、液晶容量を放電させるステップと、第２薄膜トランジスタをオンして、液晶容量に対して電圧入力信号を送信し、液晶容量に対して、蓄積容量内においての電荷移転により、液晶容量内の電圧値が、予めに設定された充電電圧値に到達するまでに、充電するステップと、十分に電荷を有する液晶容量により、対応する画素をオンして駆動するステップと、が含有される。
【００１０】
また、本発明による画素駆動回路を表示装置に適用することができ、該表示装置は、バックライトモジュールと液晶表示パネルが含有され、該液晶表示パネルの画素駆動回路は、上記の画素駆動回路と同一である。
また、液晶表示パネルの蓄積容量と液晶容量に対して、充放電する時、バックライトモジュールの光源が、該液晶表示パネル内に入らなく、第２薄膜トランジスタと第３薄膜トランジスタが、液晶容量の電荷移転を終了してから、バックライトモジュールの光源が、液晶表示パネル内に入る。
【発明を実施するための最良の形態】
【００１１】
以下、図面を参照しながら、具体的な実施例を挙げて、本発明の目的や技術内容、特徴及びその効果を詳しく説明する。
【００１２】
薄膜トランジスタ液晶表示器において、カラーシリアル駆動法を適用する時のカラー制御効率を向上するため、本発明は、画素駆動回路とその駆動方法及び適用を提供し、格別の回路設計とタイミングにより、薄膜トランジスタ液晶表示器が、毎回の走査に係わる時間を短縮できる。
以下は、具体的に、図面を参照しながら、本発明の実施形態を説明し、本発明の精神は、これにより、より明確になる。
【００１３】
まず、図３は、本発明に係わる画素駆動回路の構成概念図である。
該画素駆動回路は、四つの駆動線２０、２２、２４、２６があり、それぞれ、データ駆動線２２と走査駆動線２０、電荷移動線２６及び対向電極電圧線（Ｖｃｏｍ）２４であり、複数の画素を有する画素アレイにおいて、走査駆動線２０により、走査信号を生成して、その中の特定の一列の画素を選択し、また、データ駆動線２２は、該列の画素において、順に、対応する画素に必要とするデータ信号を生成する。
また、図３の画素駆動回路において、該画素を駆動する時、第１薄膜トランジスタ３０と第２薄膜トランジスタ３２及び第３薄膜トランジスタ３４は、画素を駆動するスイッチとされ、また、第１薄膜トランジスタ３０は、一端に、データ駆動線２２が接続され、もう一端に、蓄積容量４０が接続され、また、第１薄膜トランジスタ３０のゲート電極に、走査駆動線２０が接続される。
第２薄膜トランジスタ３２は、一端に、蓄積容量４０が接続され、もう一端に、液晶容量４２が接続され、また、そのゲート電極に、電荷移動線２６が接続され、また、第３薄膜トランジスタ３４は、一端に、液晶容量４２が接続され、もう一端に、電荷移動線２６が接続され、また、そのゲート電極に、対向電極電圧線２４が接続される。
【００１４】
上記の画素駆動回路の構成により、所定の走査列を選別してから、走査駆動線２０により、第１薄膜トランジスタ３０をオンし、また、データ駆動線２２により、第１薄膜トランジスタ３０に対して、データ信号を送信し、第１薄膜トランジスタ３０が、接続される蓄積容量４０に対して、充電する。
対向電極電圧線２４により、接続される第３薄膜トランジスタ３４をオンし、また、第３薄膜トランジスタ３４で、接続された液晶容量４２に対して、放電し、これにより、次のステップにおいて、液晶容量４２に充電する電荷量が、異なる必要に応じて、適当な量である電荷を充電でき、最後に、電荷移動線２６により、接続される第２薄膜トランジスタ３２をオンし、また、第２薄膜トランジスタ３２を介して、蓄積容量４０内に保存された電荷を、空乏状態である液晶容量４２へ移転し、これにより、液晶容量４２は、電荷移転された後、その最終電圧が、予め設定された充電電圧値に到達し、飽和電圧の状態になる。
【００１５】
上記の回路の作動から分かるように、第１薄膜トランジスタ３０は、同時に、データ駆動線２２と走査駆動線２０が接続され、画素全体を駆動する初期スイッチとされ、また、蓄積容量４０に対して、充電する機能を有し、第３薄膜トランジスタ３４は、主として、液晶容量４２が放電するように駆動し、そのため、第３薄膜トランジスタ３４が、対向電極電圧線２４に接続され、第２薄膜トランジスタ３２が、主として、蓄積容量４０に保存された電荷が、液晶容量４２へ移転されるため、第２薄膜トランジスタ３２が、電荷移動線２６に接続される。
そのため、上記の図３の画素駆動回路の構成の他に、本発明に係わる画素駆動回路は、上記の回路接続関係に基づいて、異なる方法により、各素子を電気的に接続することができ、図４は、本発明の他の画素駆動回路の構成概念図であり、同じように、第１薄膜トランジスタ３０により、画素全体の駆動操作をオンして、また、同時に、蓄積容量４０に対して、充電する操作を行い、第３薄膜トランジスタ３４と第２薄膜トランジスタ３２も、それぞれ、順に、液晶容量４２に対して、放電と充電の操作を行うが、実用上に、上記の２種類の回路位相の他に、この機能を実現できる画素駆動回路は、全てが、本発明の範囲内に含まれ、回路は、様々の設計ができるため、ここで、細かく説明することを省略する。
【００１６】
また、本発明は、提供した画素駆動回路に基づいて、画素駆動方法を提供し、その作動の流れステップは、図５のように、また、図５の流れステップに対応するタイミング図は、図６のようであり、図３と図５及び図６を参照しながら、ステップＳ１０において、走査駆動線２０からの走査信号により、第１薄膜トランジスタ３０をオンし、ステップＳ１２において、オンされた第１薄膜トランジスタ３０を介して、データ駆動線２２からのデータ信号を送信して、第１薄膜トランジスタ３０に接続される蓄積容量４０に対して、充電開始し、ステップＳ１４において、第３薄膜トランジスタ３４をオンして、オンされた第３薄膜トランジスタ３４を介して、対向電極電圧線２４からの電圧出力信号を送信し、第３薄膜トランジスタ３４に接続される液晶容量４２を、液晶容量４２の電圧値が、予め設定された放電電圧値に到達するまで、放電させ、ステップＳ１６において、第２薄膜トランジスタ３２をオンし、オンされた第２薄膜トランジスタ３２を介して、電荷移動線２６からの電圧入力信号を送信し、蓄積容量４０内に保存された電荷が、ＯＮされた第２薄膜トランジスタ３２を介して、液晶容量４２内の電圧値が、予めに設定された充電電圧値に到達するまでに、液晶容量４２へ移転し、最後のステップＳ１８において、電圧が、飽和状態である液晶容量４２により、対応する画素をオンする。
【００１７】
また、本発明は、薄膜トランジスタ液晶表示装置を提供し、上記の画素駆動回路構成を、画素を駆動するモードとし、該薄膜トランジスタ液晶表示装置は、バックライトモジュールと液晶表示パネルが含有される。
バックライトモジュールが、液晶表示パネル内に対して、光源を供給することにより、画像が、完全に表示される。
本発明に係わる薄膜トランジスタ液晶表示装置の液晶表示パネルは、液晶駆動ユニットと液晶表示ユニットが含有され、液晶駆動ユニットは、複数の画素駆動回路と複数の電源管理回路及びカラー駆動回路が含有される。
画素駆動回路は、上記の図３や図４の回路位相によって構成され、言い換えれば、該画素駆動回路は、三つの薄膜トランジスタ３０、３２、３４が、それぞれ、データ駆動線２２と走査駆動線２０、電荷移動線２６、対向電極電圧線２４、蓄積容量４０及び液晶容量４２に接続され、また、走査駆動線２０とデータ駆動線２２により、対応する信号を入力して、第１薄膜トランジスタ３０をオンし、また、第１薄膜トランジスタ３０により、接続された蓄積容量４０に対して充電し、そして、対向電極電圧線２４により、第３薄膜トランジスタ３４をオンして、第３薄膜トランジスタ３４に接続された液晶容量４２を放電し、該液晶容量４２が、予め設定された放電電圧値に放電すると、電荷移動線２６により、第２薄膜トランジスタ３２をオンして、予め設定された放電電圧値を有する液晶容量４２は、電荷が保存された蓄積容量４０が、電荷を液晶容量４２内へ移転することにより、電圧値が予め設定された充電電圧値になる。
上記の画素駆動過程において、第３薄膜トランジスタ３４がオンされると、液晶容量４２が放電開始し、第２薄膜トランジスタ３２がオンされると、液晶容量４２が、液晶容量４２が完全に充電されるまでに、充電開始し、この時、バックライトモジュールからの光源が、液晶表示パネル内に入らず、言い換えれば、液晶駆動ユニット内の液晶容量４２が、飽和に充電されて、対応する画素をオンしてから、バックライトモジュールからの光源が、液晶表示パネル内に入り始め、液晶表示パネルの液晶駆動ユニットと液晶表示ユニットとを互いに合わせることにより、画像が完全に液晶表示パネルに表示される。
【００１８】
上記の画素駆動回路とその駆動方法及び適用の液晶表示装置から分かるように、三つの薄膜トランジスタを、単一の画素を制御するスイッチとすることにより、回路の設計が有効に簡素化される。
カラーシリアル駆動法による必要とする走査時間を短縮できる他に、液晶容量が、異なる製品に応じて、予め設定された放電電圧値までに放電される状態において、予め電荷が保存された蓄積容量により充電され、これにより、液晶容量に充電された電荷量が、異なる予め設定された放電電圧値に応じて、液晶容量に対して充電し、これにより、液晶容量の最終の電圧値が、予め設定された充電電圧値になり、過度充電や充電不足の問題を防止でき、そして、画素のカラー飽和度や對比性等の表示特性が大幅に向上される。
【００１９】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００２０】
【図１】従来の液晶表示装置の薄膜トランジスタアレイの回路概念図
【図２】従来の液晶表示装置の単一の薄膜トランジスタの回路概念図
【図３】本発明の画素駆動回路の構成概念図
【図４】本発明の他の画素駆動回路の構成概念図
【図５】本発明の画素駆動方法のステップ流れ図
【図６】図５の流れステップに対応するタイミング図
【符号の説明】
【００２１】
１０      画素
１２      薄膜トランジスタ
１４      画素電極
２０      走査駆動線
２２      データ駆動線
２４      対向電極電圧線
２６      電荷移動線
３０      第１薄膜トランジスタ
３２      第２薄膜トランジスタ
３４      第３薄膜トランジスタ
４０      蓄積容量
４２      液晶容量
【図１】
2007272243.tif 000003
【図２】
2007272243.tif 000004
【図３】
2007272243.tif 000005
【図４】
2007272243.tif 000006
【図５】
2007272243.tif 000007
【図６】
2007272243.tif 000008